(57)【要約】【課題】電源コードに大きな機械的負荷が加わるのを回避できる電気掃除機を提供する。【解決手段】電力を供給するための電源コード１０を巻回したコードリール１１と、前記電源コード１０と前記コードリール１１を収納する電源コード収納室９とを備え、前記電源コード１０の全長を前記電源コード収納室９外に引き出した状態で、前記電源コード１０又は前記コードリール１１に対して所定の張力が生じたとき、警報音を発するようにしたもので、使用者が電源コード１０に負荷された張力を認知でき、電源コード１０に大きな機械的負荷が加わることで発生する電源コード１０の断線を回避することができる。【選択図】図３
2011041620.tif 000002
【特許請求の範囲】
【請求項１】
電力を供給するための電源コードを巻回したコードリールと、前記電源コードと前記コードリールを収納する電源コード収納室とを備え、前記電源コードの全長を前記電源コード収納室外に引き出した状態で、前記電源コード又は前記コードリールに対して所定の張力が生じたとき、警報音を発するようにした電気掃除機。
【請求項２】
コードリールに、電源コードを固定する固定板と、前記電源コードの引き出し方向と反対方向に前記固定板を付勢するばね体と、前記電源コード又は前記コードリールの張力を感知する圧電素子を設けた請求項１に記載の電気掃除機。
【請求項３】
警報音の音量を設定できるようにした請求項１または２に記載の電気掃除機。
【請求項４】
警報音の有無を設定できるようにした請求項１〜３のいずれか１項に記載の電気掃除機。
【請求項５】
警報音と同時に、もしくは警報音の代わりに、警報ライトを点灯させて警報するようにした請求項１〜４のいずれか１項に記載の電気掃除機。
【発明の詳細な説明】
【技術分野】
【０００１】
本発明は、電気掃除機に関するもので、特に、コードリールを有した電気掃除機に関するものである。
【背景技術】
【０００２】
従来、この種の電気掃除機は、吸引風を発する電動送風機に電力を供給するための電源コードを巻き取るコードリールを有し、電源コードとコードリールは、電源コード収納室に収納されている。また、電源コードは、保持板を介してコードリールに直接固定されている（例えば、特許文献１参照）。
【先行技術文献】
【特許文献】
【０００３】
【特許文献１】特開平２−１７８１８８号公報
【発明の概要】
【発明が解決しようとする課題】
【０００４】
しかしながら、前記従来の電気掃除機の構成では、電源コードの全長を、電源コード収納室外に引き出した時等に、電源コードに異常な力が加わって電源コードのコードリールとの固定部やプラグ部が断線するという課題を有していた。
【０００５】
本発明は、前記従来の課題を解決するもので、電源コードに大きな機械的負荷が加わることを回避できる電気掃除機を提供することを目的とする。
【課題を解決するための手段】
【０００６】
前記従来の課題を解決するために、本発明の電気掃除機は、電力を供給するための電源コードを巻回したコードリールと、前記電源コードと前記コードリールを収納する電源コード収納室とを備え、前記電源コードの全長を前記電源コード収納室外に引き出した状態で、前記電源コード又は前記コードリールに対して所定の張力が生じたとき、警報音を発するようにしたもので、使用者が電源コードに負荷された張力を認知でき、電源コードに大きな機械的負荷が加わることで発生する電源コードの断線を回避することができる。
【発明の効果】
【０００７】
本発明の電気掃除機は、電源コードの全長を電源コード収納室外に引き出した状態等に、電源コードに大きな機械的負荷が加わることで発生する電源コードの断線を回避でき、製品寿命の長い電気掃除機を提供することができる。
【図面の簡単な説明】
【０００８】
【図１】本発明の実施の形態１における電気掃除機の斜視図
【図２】同電気掃除機の断面図
【図３】同電気掃除機の電源コード全長を引き出した状態の電源コード収納室の断面図
【発明を実施するための形態】
【０００９】
第１の発明は、電力を供給するための電源コードを巻回したコードリールと、前記電源コードと前記コードリールを収納する電源コード収納室とを備え、前記電源コードの全長を前記電源コード収納室外に引き出した状態で、前記電源コード又は前記コードリールに対して所定の張力が生じたとき、警報音を発するようにしたもので、使用者が電源コード
に負荷された張力を認知でき、電源コードに大きな機械的負荷が加わることで発生する電源コードの断線を回避することができる。
【００１０】
第２の発明は、特に、第１の発明のコードリールに、電源コードを固定する固定板と、前記電源コードの引き出し方向と反対方向に前記固定板を付勢するばね体と、前記電源コード又は前記コードリールの張力を感知する圧電素子を設けたもので、小型で軽く、かつ安価な構成で、電源コードに大きな機械的負荷が加わることによる電源コードの断線を回避することができる。
【００１１】
第３の発明は、特に、第１または第２の発明の警報音の音量を設定できるようにしたもので、使用環境に応じて音量を調整することができ、音量が小さく聞きとりにくいということや、夜掃除する時にうるさすぎるという事に配慮したものである。
【００１２】
第４の発明は、特に、第１〜３のいずれか１つの発明の警報音の有無を設定できるようにしたもので、使用者が日々の掃除で電源コードの長さに習熟し、警報音が煩わしく思えるときは、警報音を発するのを停止し、使用者の判断で掃除ができる従来同様の電気掃除機とすることができるものである。
【００１３】
第５の発明は、特に、第１〜４のいずれか１つの発明の警報音と同時に、もしくは警報音の代わりに、警報ライトを点灯させて警報するようにしたもので、使用環境によって警報音が聞き取りにくいとき、警報ライトによって電源コードの負荷が認知できるものである。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機の斜視図、図２は、同電気掃除機の断面図、図３は、同電気掃除機の電源コード全長を引き出した状態の電源コード収納室の断面図を示すものである。
【００１６】
図１〜３において、本実施の形態における電気掃除機１は、掃除機本体２と、掃除機本体２の前方に設けた吸入口３に接続されるホース４と、ホース４の先端に設けられた接続パイプ５と、接続パイプ５に接続される延長管６と、延長管６の先端に設けられ塵埃を吸引する開口部（図示せず）を有する吸込具７からなり、掃除機本体２には、塵埃を吸引するための電動送風機８が内蔵されている。
【００１７】
電動送風機８と併設した電源コード収納室９には、電動送風機８に電力を供給するための電源コード１０を巻回したコードリール１１を備えている。コードリール１１は、電源コード収納室９とコードリール軸１２で支持されており、電源コード１０の巻取り／引き出しの動作によって、コードリール軸１２を中心に回転運動を行う。
【００１８】
電源コード１０は、２本の芯線１３により構成されており、芯線１３はコードリール１１に具備した接点１４に接続され、電動送風機８に電流を供給している。電源コード１０は、固定板１５と固定カバー１６によって保持されている。固定板１５は、コードリール１１に保持されたばね体１７によって、電源コード１０の引き出し方向（図３の矢印Ａ方向）と反対方向に付勢されており、しかも電源コード１０の引き出し方向にのみ摺動可能となるようにリブ１８で位置規制をされている。
【００１９】
また、固定板１５とコードリール１１の間には圧電素子１９が設置されており、コード
リール１１に対する電源コード１０に加わる張力を検知し、電流を発生させて、接続パイプ５に設けた警報ブザー（図示せず）と警報ライト２０を点灯させるようになっている。また、接続パイプ５の上部に、警報音の音量・有無を調整できる切替ボタン２１を設けている。
【００２０】
以上のように構成された本実施の形態における電気掃除機について、以下その動作、作用を説明する。電源コード１０の全長を、電源コード収納室９外に引き出した状態で、さらに電源コード１０を引っ張ったとき、図３のような位置までコードリール１１がコードリール軸１２を中心に回転し、矢印Ａ方向に電源コード１０を固定した固定板１５が摺動し、ばね体１７が圧縮することで、電源コード１０の固定部に加わる力を吸収し、電源コード１０に大きな機械的負荷が加わることで発生する電源コード１０の断線を回避することができる。
【００２１】
このとき、固定板１５とコードリール１１の間に設置された圧電素子１９にせん断応力が負荷されることで電流を発生させる。この電流を用いて警報ブザーと警報ライト２０を作動させ、使用者に、電源コード１０に異常な張力が負荷されていることを知らせ、注意を促すことができる。また、電源コード１０に張力が加わることは、電源コード１０が何らかの障害物に引っかかっていることが考えられ、そのまま掃除を続けることはその障害物に対して転倒等の悪影響を及ぼすことに繋がりかねない。そのような注意を使用者に伝える意味においても有用である。
【００２２】
この張力がさらに大きくなったとき、摺動した固定板１５は、コードリール１１のリブ１８に規制されて、それ以上摺動しないため、コードリール１１の固定部や圧電素子１９の破壊を防止できる。
【００２３】
また、接続パイプ５の上部に警報音の音量・有無を調整できる切替ボタン２１を設けていることで、音量が小さく聞きとりにくいときや、夜掃除する時に音量を任意に設定できるとともに、使用者が日々の掃除で電源コード１０の長さに習熟し警報音が煩わしく思えるときには警報音をオフに設定することもできる。
【００２４】
さらに、警報音が煩わしかったり、警報音が聞き取りづらかったりするときには、接続パイプ５の上部に設置した警報ライト２０でも確認できる。
【００２５】
なお、本実施の形態では、警報ブザー、警報ライト２０、切替ボタン２１を接続パイプ５に設けたが、その内の一部又は全てを掃除機本体１に設けても良い。
【産業上の利用可能性】
【００２６】
以上のように、本発明にかかる電気掃除機は、電源コードの全長を電源コード収納室外に引き出した状態で、コードリールに対して電源コードが所定の張力を負荷したとき、警報音を発するようにすることにより、使用者が電源コードに負荷された張力を認知でき、電源コードに大きな機械的負荷が加わることで発生する電源コードの断線を回避することができ、家庭、業務用等の電気掃除機に有用である。
【符号の説明】
【００２７】
１  電気掃除機
２  掃除機本体
９  電源コード収納室
１０  電源コード
１１  コードリール
１５  固定板
１７  ばね体
１９  圧電素子
２０  警報ライト
【図２】
2011041620.tif 000003
【図３】
2011041620.tif 000004
【図１】
2011041620.tif 000005